(57)【特許請求の範囲】
【請求項１】
端末機本体の前面の第１領域に配置され、視覚情報を表示すると共にタッチ操作により情報を入力できるタッチスクリーン部と、
前記端末機本体の前面の第２領域に配置され、該第２領域上の所定位置へのタッチ操作により情報を入力するタッチパッド部と、
前記第１領域及び前記第２領域の前面に装着される透光性材質からなるウィンドウと、
前記ウィンドウの前記第２領域に対応する領域内に形成された貫通孔に配置されたセンターキーと、
前記端末機本体の内部に配置され、前記センターキーの押圧操作によって情報を入力するスイッチと、
を含み、
前記タッチパッド部は、前記センターキーの上側、下側、左側及び右側の四つの位置へのタッチ操作により情報を入力するものであり、
前記第２領域上の前記四つの位置を内側から個別に照明する発光パターンを備えると共に前記四つの位置のいずれかがタッチされたときに対応する発光パターンが発光する発光シートを更に含み、
前記発光パターンは、複数の異なる径のリング状の発光パターンが同心円状に配置された構成を有することを特徴とする移動端末機。
【請求項２】
前記同心円状に配置された各リング状の発光パターンのうち最も明るくなる発光パターンが内側から外側に向かって又は外側から内側に向かって順に変化するように制御する制御部を更に含むことを特徴とする請求項１記載の移動端末機。
【請求項３】
前記端末機本体は、
前記第１領域及び前記第２領域の周囲を囲む支持フレームと、
前記支持フレームの内側に装着され、前記支持フレームに配置された操作部の押圧操作によって情報を入力するように構成されるスイッチと、
を含むことを特徴とする請求項１又は２に記載の移動端末機。
【請求項４】
前記タッチパッド部は、前記タッチスクリーン部に選択可能なリストが表示されているときに、前記リストから項目を選択するためのカーソル又はポインタを移動させる方向キーとしての機能を有することを特徴とする請求項１〜３のいずれか１つに記載の移動端末機。
【請求項５】
前記端末機本体は、第１本体と該第１本体に対してスライド可能に連結された第２本体とを含み、
前記第１本体の前面に前記タッチスクリーン部及び前記タッチパッド部が配置され、
前記第２本体の前面に数字又は文字を入力するためのキーパッドが配置されていることを特徴とする請求項１〜４のいずれか１つに記載の移動端末機。
【発明の詳細な説明】
【技術分野】
【０００１】
本発明は、移動端末機に関し、特に、その前面にタッチスクリーン部及びタッチキー部を備える移動端末機に関する。
【背景技術】
【０００２】
最近の移動端末機は、基本的な通話機能以外にも、多くの追加機能を提供している。例えば、使用者は、移動端末機を用いてインターネット接続、ビデオ又は映画視聴、音楽鑑賞、写真撮影、スケジュール管理などの多様な機能を行うことができる。また、使用者は、移動端末機の小型化及び軽量化により移動端末機をさらに容易に携帯できるようになっている。
【発明の開示】
【発明が解決しようとする課題】
【０００３】
移動端末機の機能が多様化するにつれて、メニュー選択の回数等も増加することになるので、移動端末機の各機能をより簡単に実現するためのユーザインタフェースの必要性が高まっている。さらに、移動端末機は、使用者の必需品としてだけでなく、使用者の個性を表現するものとみなされるようにもなっており、このため、移動端末機は、その機能面だけでなく、そのデザイン面も重要になってきている。
【０００４】
なお、移動端末機の中には、使用者が特定アイテム又はメニューアイコンを選択するためのタッチスクリーンを備えたものがあるが、アイテムやメニューの数に対してタッチスクリーンのサイズが小さいものが多く、該タッチスクリーンに表示されたメニューオプションやアイテムを使用者が選択しにくいことがある。例えば、アイテムやメニューが小さくなってしまい、タッチスクリーンへの使用者のタッチが認識されなかったり、使用者が２つ以上のメニューオプション又はアイテムを同時にタッチしてしまったりすることがある。また、移動端末機が提供するオプション等が多様になってきていると共に、移動端末機のデザインも複雑化しているため、使用者は、移動端末機の作動方法を習得するためにマニュアルを十分に読まなければならないこともある。
本発明は、このような課題に着目したものであり、移動端末機において、シンプルなデザインとしつつ、便利なユーザインタフェース環境を提供することを目的とする。
【課題を解決するための手段】
【０００５】
このため、本発明による移動端末機は、端末機本体の前面の第１領域に配置され、視覚情報を表示すると共にタッチ操作により情報を入力できるタッチスクリーン部と、前記端末機本体の前面の第２領域に配置され、該第２領域上の所定位置へのタッチ操作により情報を入力するタッチパッド部と、を含む。
【０００６】
ここで、前記第１領域及び前記第２領域の前面には、透光性材質からなウィンドウが装着されることが好ましい。この場合においては、例えば、前記タッチスクリーン部が前記ウィンドウの内側に取り付けられたタッチシートを含み、このタッチシートにより前記ウィンドウを介したタッチ操作を感知する。
【０００７】
また、前記ウィンドウの前記第２領域に対応する領域内に形成された貫通孔に配置されたセンターキーと、前記端末機本体の内部に配置され、前記センターキーの押圧操作によって情報を入力するスイッチと、を含み、前記タッチパッド部は、前記センターキーの上側、下側、左側及び右側の四つの位置へのタッチ操作により情報を入力する構成とするのが好ましい。ここで、前記第２領域上の前記四つの位置を内側から個別に照明する発光パターンを備えると共に前記四つの位置のいずれかがタッチされたときに対応する発光パターンが発光する発光シートを更に含み、前記発光パターンは、複数の異なる径のリング状の発光パターンが同心円状に配置された構成を有する。
【０００８】
さらに、前記タッチパッド部は、前記タッチスクリーン部に選択可能なリストが表示されているときに、前記リストから項目を選択するためのカーソル又はポインタを移動させる方向キーとしての機能を有するようにしてもよい。
【０００９】
さらにまた、前記端末機本体は第１本体と該第１本体に対してスライド可能に連結された第２本体とを含み、前記第１本体の前面に前記タッチスクリーン部及び前記タッチパッド部が配置され、前記第２本体の前面に数字又は文字を入力するためのキーパッドが配置されている構成としてもよい。
【００１０】
本発明による移動端末機の他の目的及び構成は、添付図面に基づく本発明の好ましい実施形態についての詳細な説明により明確に理解できるであろう。
【発明の効果】
【００１１】
本発明による移動端末機によると、端末機本体の前面にタッチスクリーン部及びタッチパッド部が設けられているので、シンプルな印象のデザインとしつつ、タッチスクリーン部及び／又はタッチパッド部によって入力操作を行えるので、その組み合わせによって、より多数の機能等の実現が可能となり、便利なユーザインタフェース環境を提供することができる。
【発明を実施するための最良の形態】
【００１２】
以下、添付図面を参照して本発明の好ましい実施形態について詳細に説明する。なお、以下の説明においては、通常の操作時に使用者側を向く面（例えば、主たる表示部が設けられている面）を「前面」といい、その反対側となる面を「背面」という。
【００１３】
図１は、本発明の第１実施形態による移動端末機１００の前面斜視図である。
本実施形態による移動端末機は、第１本体１１０と、該第１本体１１０に対して少なくとも一方向に摺動（スライド移動）可能に連結された第２本体１２０と、を含む。
【００１４】
ここで、第１本体１１０と第２本体１２０とが重なるように配置された状態（すなわち、前面側から見たときに、第１本体１１０によって第２本体１２０の（前面の）ほぼ全てが覆われた状態）を「閉状態」といい、図１に示すように、第１本体１１０と第２本体１２０とが互いに相対移動し、第２本体１２０の（前面の）少なくとも一部分を露出した状態を「開状態」という。
【００１５】
移動端末機１００は、閉状態のときには主に待ち受けモードであるが、使用者の操作によって待ち受けモードが解除されることもある。また、移動端末機１００は、開状態のときは主に通話モードであるが、使用者による特定メニューオプションの選択又はキー操作によって、他のモードに移行することができる。また、移動端末機１００は、開状態のときであっても、何ら操作がなされずに所定時間が経過することにより自動で待ち受けモードに移行することもある。
【００１６】
図１に示すように、第１本体１１０のケース（ケーシング、ハウジング、カバーなど）は、フロントケース１１１とリアケース１１２とを含んで構成される。フロントケース１１１とリアケース１１２とによって形成される内部空間には、各種電子部品等が内蔵される。ここで、フロントケース１１１とリアケース１１２と間に一又は複数の中間ケースをさらに配置することもできる。また、前記ケースは、合成樹脂を射出して形成したものであってもよいし、ステンレススチール（ＳＴＳ）やチタン（Ｔｉ）などの金属材質で形成したものであってもよい。
【００１７】
本実施形態において、第１本体１１０は、その前面に配置されたタッチスクリーン部１１３、タッチパッド部１１４、音響出力部１１５、第１映像入力部１１６及び第１操作部１１７を備えている。
フロントケース１１１の前面には、第１領域１１３ａと、第２領域１１４ａと、が形成されており、第１領域１１３ａにはタッチスクリーン部１１３が配置され、第２領域１１４ａにはタッチパッド部１１４が配置されている。第１領域１１３ａと第２領域１１４ａとは互いに隣接して形成されることが好ましいことはもちろんである。
【００１８】
第１領域１１３ａに配置されたタッチスクリーン部１１３は、画面に視覚情報を表示すると共に、画面へのタッチ操作によって情報を入力できるように構成されており、第２領域１１４ａに配置されたタッチパッド部１１４は、第２領域１１４ａ上の所定の位置をタッチすることにより情報を入力できるように構成されている。
【００１９】
音響出力部１１５は、例えばレシーバ又はスピーカによって実現され、第１映像入力部１１６は、例えば停止画像又は動画像を撮影するためのカメラモジュールによって実現される。また、第１操作部１１７は、押圧することによって端末機の所定機能を動作させるものであり、様々なメニューオプションを含む。
【００２０】
第２本体１２０のケースも、第１本体１１０と同様に、フロントケース１２１とリアケース１２２とを含んで構成される。また、第２本体１２０は、第２操作部１２３（例えばキーパッドなど）を含む。フロントケース１２１又はリアケース１２２の少なくとも一方には、第３操作部１２４、音響入力部１２５、インタフェース１２６などが配置される。
【００２１】
ここで、第２操作部１２３及び第３操作部１２４は、使用者が触覚的な感覚で操作する方式（tactile manner）であればいかなる方式も採用できる。例えば、第２操作部１２３及び第３操作部１２４は、使用者のプッシュ又はタッチ操作によって命令又は情報が入力されるドームスイッチ又はタッチパッドにより実現されてもよいし、ホイール、ジョグ方式又はジョイスティックなどによって実現されてもよい。
【００２２】
機能的な面では、例えば、第１操作部１１７は、処理の開始・終了、スクロールなどの命令を入力するためのものとし、第２操作部１２３は、数字、文字、シンボルなどを入力するために用いるものとすることができる。また、第３操作部１２４は、第１映像入力部１１６のアクティブ化などの特殊機能を行うホットキーの役割を果たすようにすることができる。
【００２３】
音響入力部１２５は、使用者の音声、その他の音などを入力するために、例えばマイクロホンによって実現される。
【００２４】
インタフェース１２６は、移動端末機１００が外部機器との間でデータなどを交換する通路としての機能を有する。例えば、インタフェース１２６は、有線又は無線イヤホンの接続のための接続端子、近距離通信のためのポート（例えば、赤外線ポート（IrDA port）、ブルートゥースポート（Bluetooth port）、無線ＬＡＮポート（wireless LAN portなど）、及び、移動端末機に電源を供給するための電源供給端子のうちの少なくとも１つとすることができる。
また、インタフェース１２６は、ＳＩＭ（subscriber identification module）、ＵＩＭ（user identity module）、又は、情報保存のためのメモリカードなどの外部カードを収容するカードソケットであってもよい。
【００２５】
なお、符号１２７はバッテリカバーを、符号１３２は放送受信用アンテナを、タッチパッド部１１４に位置する符号１１８はセンターキーを示している。これらの構成については後述する。
【００２６】
図２は、移動端末機１００の背面斜視図である。
図２を参照すると、第２本体１２０のリアケース１２２の背面には、第２映像入力部１２８が装着されている。この第２映像入力部１２８は、撮影方向が第１映像入力部１１６（図１を参照）の撮影方向と実質的に反対となっており、第１映像入力部１１６とは画素数の異なるカメラとしてもよい。
【００２７】
例えば、第１映像入力部１１６は、テレビ電話などの場合に使用者の顔を撮影して相手に送信することがあるので、その際の負担が大きくならないように低画素とし、第２映像入力部１２８は、一般的な被写体を撮影し、すぐには送信などしないことが多いので、高画素とするのが好ましい。
【００２８】
また、図では省略しているが、第２映像入力部１２８により被写体を撮影する際に、該被写体に光を照らすフラッシュが第２映像入力部１２８に隣接してさらに配置される。
【００２９】
なお、ここでは第２映像入力部１２８が第２本体１２０に配置されているが、これに限定されるものではなく、第２映像入力部１２８を第１本体１１０のリアケース１１２（の背面）に配置することもできる。この場合、閉状態のときに第２本体１２０によって保護されるという利点がある。さらに、第２映像入力部１２８を別途に備えなくても、第１映像入力部１１６を回転可能に形成して（又は、他の方式で移動して）、第２映像入力部１２８の撮影方向まで撮影できるように構成することもできる。
【００３０】
また、リアケース１２２の一端側（下端）には、通話などのためのアンテナの他、放送信号受信用アンテナ１３２が配置されている。なお、図１、図２は、放送信号受信用アンテナ１３２が収納されている状態を示しており、放送信号受信用アンテナ１３２は、放送信号受信時に、第２本体１２０から引き出すことができる。
【００３１】
さらに、第１本体１１０のリアケース１１２には、第１本体１１０と第２本体１２０とを互いに摺動（スライド移動）可能に結合するスライドモジュール１３３の一部分が配置される。スライドモジュール１３３の他の部分は、第２本体１２０のフロントケース１２１に配置されているが、図２に示すように外部に露出していない。
【００３２】
さらにまた、第２本体１２０のリアケース１２２には、移動端末機に電源を供給するバッテリ（図示省略）を覆うためのバッテリカバー１２７が装着されている。ここでは、バッテリカバー１２７が第２本体１２０の内部に着脱可能に結合されたバッテリを覆っている。但し、これに限るものではなく、バッテリを他の方式で外部装置として着脱可能に結合することもできる。
【００３３】
本実施形態のバッテリカバー１２７は、第２本体１２０のリアケース１２２の背面の大部分を占めており、このバッテリカバー１２７の背面には、移動端末機１００が床面や傾斜面で移動したり落下したりすることを防止するためのパターン部１２９が形成されている。このパターン部１２９は、例えば格子状又は櫛歯状のような幾何学的で規則的な模様を含むことができる。このようなパターン部１２９は、樹脂等をメタルベースにコーティング又は射出する方式などで形成できる。
【００３４】
図３は、移動端末機１００の分解斜視図であり、主として第１本体１１０の内部構造を説明するための図である。
【００３５】
図３に示すように、第１本体１１０を構成するフロントケース１１１とリアケース１１２との間に形成される内部空間には、プリント基板１３４ａ、１３４ｂが装着され、これらのプリント基板１３４ａ、１３４ｂには、移動端末機１００の各種機能を実行するための各種電子部品が装着される。
【００３６】
プリント基板１３４ａは第１領域１１３ａに対応して設けられ、このプリント基板１３４ａには、視覚情報を表示するディスプレイモジュール１３５が装着される。ディスプレイモジュール１３５は、ＬＣＤモジュール、ＯＬＥＤ（Organic Light Emitting Diodes）モジュールなどを含む。
【００３７】
ディスプレイモジュール１３５の外側（前面側）には、ウィンドウ１３６が配置され、ウィンドウ１３６は、ディスプレイモジュール１３５に表示された視覚情報が外部から見えるように透光性領域を備える。ウィンドウ１３６の材質としては、透明又は半透明の合成樹脂、強化ガラスなどを使用することができる。
なお、このウィンドウ１３６は、タッチスクリーン部１１３（第１領域１１３ａ）、タッチパッド部１１４（第２領域１１４ａ）、音響出力部１１５及び第１映像入力部１１６を覆うように設けられており（図１を参照）、該ウィンドウ１３６の第２領域１１４ａに対応する領域内には貫通孔１３６ａが形成され、音響出力部１１５に対応する部分には音響出力部１１５から音響を出力するための音響出力孔１１５ａが形成されている。
【００３８】
フロントケース１１１には、ウィンドウ１３６を載置するためのウィンドウ載置部１３８が形成されている。このウィンドウ載置部１３８は、例えば、ウィンドウ１３６を収容するようにフロントケース１１１の表面から凹んだ形状に形成される。
【００３９】
ウィンドウ載置部１３８の周囲には支持フレーム１３９が装着される。この支持フレーム１３９の材質としては、金属又は半透光性の合成樹脂などを使用することができる。
【００４０】
支持フレーム１３９の一領域には、押圧される第１操作部１１７が形成されており、プリント基板１３４ｂには、第１操作部１１７の押圧操作によって情報を入力するスイッチ１１７ａが装着されている。
【００４１】
ウィンドウ１３６の内側面（背面）には、使用者等によるウィンドウ１３６へのタッチを感知するためのタッチシート１５０が取り付けられている。このタッチシート１５０は、透明材質によって形成されており、フレキシブルプリント基板（ＦＰＣ）１４１によってプリント基板１３４ｂと電気的に接続することができる。
【００４２】
タッチシート１５０の、上記第２領域１１４ａ（図１を参照）に対応する領域内には、ウィンドウ１３６と同様に、貫通孔１５０ａが形成されており、この貫通孔１５０ａには、センターキー１１８が押圧可能に配置される。プリント基板１３４ｂには、センターキー１１８の押圧操作によって情報を入力するスイッチ１１８ａが装着される。
また、タッチシート１５０の、第１操作部１１７に対応する領域には、該第１操作部１１７のための貫通孔１５０ｂが形成される。
また、タッチシート１５０の第１領域１１３ａに対応する領域の縁部には、シールドパターン１５５が形成される。
【００４３】
タッチシート１５０の内方側（背面側）の第２領域１１４ａに対応する位置には、面発光する発光シート１６０が配置されている。この発光シート１６０は、ウィンドウ１３６の一領域を照明したり、ウィンドウ１３６の一領域に一定の表示をしたりするためのものである。
発光シート１６０は、ＥＬシート（Electro Luminescence Sheet）を含むことができ、この発光シート１６０には、ウィンドウ１３６に形成された貫通孔１３６ａ及びタッチシート１５０に形成された貫通孔１５０ａに対応する貫通孔１６０ａが形成される。
【００４４】
図４は、第１実施例によるタッチシート１５０の平面図であり、タッチシート１５０を背面側から見た図である。また、図５は、図３のＶ−Ｖ断面図であり、主にタッチシート１５０及びこれに関連する構成要素を示している。
【００４５】
図４に示すように、タッチシート１５０は、タッチスクリーン部１１３を形成する第１領域１５１と、第１領域１５１から延びてタッチパッド部１１４を形成する第２領域１５２とを備える。
【００４６】
第１領域１５１、第２領域１５２には、それぞれタッチ感知のための第１導電パターン１５６、第２導電パターン１５８が形成されている。これら第１導電パターン１５６及び第２導電パターン１５８は、例えばインジウムスズ酸化物（Indium Tin Oxide：ＩＴＯ）のような導電性材質がタッチシート１５０にパターン化されることによって形成される。
【００４７】
第１領域１５１に形成された第１導電パターン１５６は、タッチシート１５０の一面に単一レイヤでジグザグ状に形成されている。なお、本実施形態では、図５に示すように、第１導電パターン１５６は、タッチシート１５０の内側面（背面）に形成されているが、タッチシート１５０の外側面（前面）に形成されてもよい。
【００４８】
このように、タッチシート１５０の第１導電パターン１５６を単一レイヤで形成することにより、タッチシート１５０がより薄くなり、光透過率を向上できると共に、導電パターンの材料である導電性物質の使用量を抑制して材料費を節減できる。
【００４９】
第１導電パターン１５６は、第１本体１１０（図１を参照）の長手方向に、すなわち、音響出力部１１５（図１を参照）から第１操作部１１７（図１を参照）へと向かってにジグザグに折曲して延びるように形成される。そして、図４に示すように、前記長手方向を上下方向とすると、ジグザグ状の第１導電パターン１５６の折曲点（１５７ａ、１５７ｂ）が第１領域１５１の左側、右側に、すなわち、タッチシート１５０の第１本体１１０の短手方向の両端部近傍にそれぞれ配置される。
ここで、各折曲点（例えば、折曲点１５７ｂ）に接続する２つのライン（導電パターン）は、当該折曲点（折曲点１５７ｂ）を通過する水平線（すなわち、折曲点を通過して前記短手方向に延びる直線（仮想線））１５７ｃに対称となるように形成されている。
【００５０】
ここで、使用者の指がタッチスクリーン部１１３に対応するウィンドウ１３６の領域に接触すると、当該指はタッチシート１５０の第１導電パターン１５６が形成された領域上に位置することになる。以下の説明では、使用者の指が第１導電パターン１５６の形成された領域上に位置することを、説明の便宜上、第１導電パターン１５６に「接触」すると表現する。
【００５１】
第１導電パターン１５６は、使用者の指Ｆが該第１導電パターン１５６の形成された領域上に位置すると、少なくとも２つのライン（導電パターン）１５７ｄ、１５７ｅに接触するように構成される。このため、２つのライン（導電パターン）１５７ｄ、１５７ｅ間の最大距離は、使用者の指Ｆの大きさ（例えば、一般的な人が人差し指でタッチするときの当該タッチ領域を意味する。以下同じ。）よりも小さく設定されている。
【００５２】
また、第１導電パターン１５６の両端部（換言すれば、始点及び終点）Ｘ、Ｙは、タッチシート１５０の背面側の縁部に配置されたデータライン１５３に接続される。このデータライン１５３は、第１導電パターン１５６に入力されたタッチ信号を第１本体１１０（図１を参照）の内部に伝達するものであり、このため、データライン１５３の末端は、フレキシブルプリント基板１４１（図３を参照）によってプリント基板１３４ｂ（図３を参照）に接続されている。
【００５３】
一方、第２領域１５２に形成された第２導電パターン１５８は、予め設定された領域をタッチして情報を入力するためのキー入力部を実現するためのものである。第２導電パターン１５８は、複数の位置に離隔されたタッチキー部１５４を含む。本実施形態においては、タッチキー部１５４は４つ設けられ、それぞれ貫通孔１５０ａを中心としてその上下左右に配置されている。なお、第２導電パターン１５８もデータライン１５３に接続されており、第２導電パターン１５８に入力されたタッチ信号、すなわち、タッチキー部１５４へのタッチ信号を第１本体１１０の内部に伝達する。
【００５４】
次に、タッチシート１５０の第１領域１５１に形成された第１導電パターン１５６の作用について説明する。
【００５５】
図４に示すように、使用者がウィンドウ１３６（タッチスクリーン１１３ａ）をタッチすると、使用者の指Ｆは第１導電パターン１５６における少なくとも２つのライン（導電パターン）１５７ｄ、１５７ｅに接触する。
【００５６】
ここで、端末機の内部で供給される電荷が第１導電パターン１５６のラインに沿って流れており、使用者の指Ｆが第１導電パターン１５６に接触すると、該第１導電パターン１５６の抵抗値が変化する。
【００５７】
第１導電パターン１５６の２つのライン１５７ｄ、１５７ｅに使用者の指Ｆが接触すると２つの接触点Ａ、Ｂが生じ、この２つの接触点Ａ、Ｂの位置が変化すると、第１導電パターン１５６の一端Ｘと一方の接触点Ａとの間の距離、及び、第１導電パターン１５６の他端Ｙと他方の接触点Ｂとの間の距離も変化する。従って、抵抗の変化値も接触点Ａ、Ｂの位置によって変化する。
【００５８】
この抵抗値の変化によって、第１導電パターン１５６の両端Ｘ、Ｙで測定される電荷量がタッチ地点毎に変化し、第１導電パターン１５６の両端Ｘ、Ｙで測定された値を各タッチ領域で予め測定された設定値と比較することでタッチ位置を感知する。
【００５９】
図６は、図３のＶＩ−ＶＩ断面図である。
図３及び図６を参照すると、タッチシート１５０の第２領域１５２の内側（背面側）には発光シート１６０が配置されており、この発光シート１６０は、タッチパッド部１１４を内側から照明し、所定の発光パターンを提供（表示）するように構成される。
【００６０】
タッチシート１５０の縁部には、シールドパターン１５５が形成されており、シールドパターン１５５は、導電パターンの信号（例えば、データライン１５３を介して伝達される信号）が外部から受ける影響、例えば電子部品から発生する電磁波の影響を抑制する。シールドパターン１５５は、金属のような導電性物質をタッチシート１５０に蒸着して形成できる。
【００６１】
シールドパターン１５５は、データライン１５３に対応する位置に形成されており、データライン１５３が位置する（形成される）面の反対側の面に形成される。本実施形態においては、データライン１５３がタッチシート１５０の内側面（背面）に形成され、シールドパターン１５５がタッチシート１５０の外側面（前面）に形成されている。
【００６２】
但し、これに限るものではなく、データライン１５３がタッチシート１５０の外側面（前面）に形成され、シールドパターン１５５がタッチシート１５０の内側面（背面）に形成されてもよい。ここで、第１導電パターン１５６及び第２導電パターン１５８は、データライン１５３の位置する（形成される）面と同一の面に形成される。
【００６３】
発光シート１６０にはグラウンド１６１がさらに形成され、シールドパターン１５５は、発光シート１６０のグラウンド１６１と電気的に短絡する。ここで、発光シート１６０のグラウンド１６１とシールドパターン１５５との接続方式は、ケーブルによる接続又は接点間の接続などの多様な方式がある。
【００６４】
シールドパターン１５５と、発光シート１６０のグラウンド１６１とを電気的に短絡させることにより、発光シート１６０で発生するノイズ等がタッチシート１５０の動作に与える影響を抑制（最小化）できる。
【００６５】
図７Ａ〜図７Ｄは、発光シート１６０の正面図であり、タッチパッド部１１４にタッチ入力されたときの発光シート１６０の動作を時間順に示している。
【００６６】
発光シート１６０には、タッチパッド部１１４がタッチされたときにタッチキー部１５４を個別に照明するために個別の発光パターン１６２が備えられる。この発光パターン１６２は、複数のタッチキー部１５４のいずれか１つがタッチされたときに発光し、タッチキー部１５４にタッチ入力されたことを使用者に認知させる。
【００６７】
発光パターン１６２は、発光シート１６０の、センターキー１１８に対応して形成された貫通孔１６０ａの上下左右に、すなわち、タッチキー部１５４に対応する領域にそれぞれ位置しており、各発光パターン１６２は、異なる径の複数のリング状の発光パターンが同心円状に配置された構成を有する。なお、最も内側（最小径）の発光パターンについてはリング状ではなく、円全体が発光するようにしてもよい。
【００６８】
以下では、タッチパッド部１１４の右側領域がタッチされ、このタッチ入力に伴って発光シート１６０の右側領域に配置された発光パターン１６２が発光する場合を例に説明する。なお、図では省略しているが、各発光パターン１６２の中心部に、タッチパッド１１４へのタッチ操作が必要となる場合や移動端末機を閉状態から開状態にした場合などに発光して、使用者にタッチキー部１５４を認知させる小径の発光部を設けたり、円発光するようにした最も内側の発光パターンを発光させたりすることが好ましい。
【００６９】
図７Ａ〜７Ｄにおいて、実線は発光パターン１６２が発光している状態を示し、点線は発光パターン１６２が発光していない状態を示す。また、実線で示す発光パターンのうち他の発光パターンに比べて太い実線で示したものが最も明るい状態の発光パターンを示している。
【００７０】
発光パターン１６２は、異なる径の第１〜第４発光パターン１６２ａ〜１６２ｄを含んでいる。同心円状の各発光パターン１６２ａ〜１６２ｄは、内側から外側に向かって径の小さい順に配列される。
【００７１】
ここで、各発光パターン１６２ａ〜１６２ｄは、電流の強度によって明るさが調節できる材質で形成されており、時間と共に内側から外側に向かって明るさが順に変わるように個別に制御することができる。
【００７２】
本実施形態において、発光パターン１６２は、タッチパッド１１４の該当領域がタッチされると、最も明るくなる発光パターンが内側から外側に向かって順に変化するように構成される。
すなわち、タッチシート１５０のタッチキー部１５４（図４を参照）にタッチ入力されると、図７Ａに示すように、制御部によって、まず最も径の小さい（最も内側の）第１発光パターン１６２ａが最も明るくなるように制御される。その後、所定時間が経過すると、図７Ｂに示すように、第１発光パターン１６２ａの明るさが暗くなり、代わりに、第２発光パターン１６２ｂの明るさが最も明るくなるように制御される。
【００７３】
このような方式で、第２発光パターン１６２ｂが最も明るくなった後に所定時間が経過すると、図７Ｃに示すように、第３発光パターン１６２ｃが最も明るくなり、さらに所定時間が経過すると、図７Ｄに示すように、第４発光パターン１６２ｄが最も明るくなる。そして、第４発光パターン１６２ｄが最も明るくなってから所定時間が経過すると、第１〜第４発光パターン１６２ａ〜１６２ｄの発光が停止する。
【００７４】
従って、使用者がタッチパッド部１１４をタッチする毎に、該当タッチキー部１５４に対応する発光パターン１６２が発光し、リング状の光が内側から外側に向かって広がるように見える視覚効果が実現され、使用者に、所定のタッチキー部１５４にタッチ入力されたことを効果的に認知させることができると共に、デザイン性が確保される。
【００７５】
なお、反対に、最も明るくなる発光パターンを外側から内側に向かって、すなわち、第４発光パターン１６２ｄから第１発光パターン１６２ａへと個別に制御することにより、リング状の光が時間経過と共に内側に向かって進む（小さくなる）ように見えるようにすることもできる。このようにしても、使用者に所定のタッチキー部１５４にタッチ入力されたことを効果的に認知させることができると共に、デザイン性を確保できる。
【００７６】
なお、本実施形態では、４つの同心円状の発光パターン１６２ａ〜１６２ｄが順に配列された構成について説明したが、径の異なる同心円状の複数の発光パターンの数は４つに限るものではなく、必要に応じて多様に構成できる。
【００７７】
図８Ａ〜図８Ｃは、移動端末機１００の動作を説明するための図であり、移動端末機１００の平面図である。
【００７８】
まず、図８Ａに示すように、タッチスクリーン部１１３には、移動端末機１００の各種機能を動作させるためのメニュー又はアイコンが表示される。ここで、使用者がメニュー又はアイコンをタッチすると、それに対応する機能が動作する。ここでは、使用者の指によってテキストメッセージアイコン１１３ｃがタッチされた場合を示している。
【００７９】
テキストメッセージアイコン１１３ｃがタッチされると、図８Ｂに示すように、タッチスクリーン部１１３には、例えば、選択可能なリスト１１３ｄと、該リスト１１３ｄから所定の項目を選択するためのカーソル又はポインタ１１３ｅと、が表示される。
ここでは、タッチパッド部１１４が、カーソル又はポインタ１１３ｅを移動させる方向キーとしての機能を有しているものとする。
タッチパッド部１１４がタッチされると、発光シート１６０の発光パターン１６２がタッチパッド部１１４に表示され、該当領域がタッチされたことを使用者に認知させる。
【００８０】
図８Ｂでは、リスト１１３ｄとして電話帳が表示されており、タッチパッド部１１４のほぼ中央に位置するセンターキー１１８の下側のタッチキー部１５４（図４を参照）に対応する領域をタッチすることにより、カーソル又はポインタ１１３ｅを下方に移動させることができる。そして、センターキー１１８を押すことによって、カーソル又はポインタ１１３ｅが位置するリストに関する情報（例えば、電話番号）をタッチスクリーン部１１３に表示することができる。
また、使用者がタッチキー部１５４（図４を参照）をタッチすることにより、同心円状形状の発光パターン１６２ａ〜１６２ｄが時間経過に応じて順に最も発光する。
【００８１】
一方、使用者は、第２操作部１２３及び第３操作部１２４（図１を参照）を操作することによって、図８Ｃに示すように、文字、数字、シンボルなどを入力することができる。また、使用者は、第１操作部１１７の電話アイコンを操作することにより所定の電話番号を選択したり、所定の電話番号で電話をかけたりすることができる。
【００８２】
図８Ａ〜図８Ｃを参照して一例を説明してきたように、使用者は、タッチスクリーン部１１３及びタッチパッド部１１４を介して、様々なオプションを容易に選択したり、表示されたメニューやリストからを所望の項目を容易に選択したりすることができる。また、タッチパッド部１１４をタッチしたときに、該当領域がタッチされたことを容易に認知できる。
【００８３】
ここで、タッチスクリーン部１１３に表示されるメニュー又はアイコン１１３ｃは、使用者のタッチ入力を便利にするために使用者の指Ｆの大きさに対応するサイズか、それよりも大きいサイズで表示される。また、タッチシート１５０（図３を参照）の第１導電パターン１５６（図４を参照）は、前述したようなサイズに形成されており、入力されるタッチ位置を精度よく感知できる。
【００８４】
図９は、第２実施例によるタッチシート２５０の平面図であり、図４に対応する図である。また、図１０は、図９のタッチシートが第１本体１１０に装着された状態を示す移動端末機１００の断面図である。なお、説明の便宜のため、図１０においてはタッチシート２５０及びこれに関連する構成要素が誇張して示されている。
【００８５】
図９に示すように、タッチシート２５０は、第１領域２５１と、第１領域２５１から延びる第２領域２５２とを備えており、第１領域２５１には第１導電パターン２５６が、第２領域２５２には第２導電パターン２５８が形成される。
なお、図９及び図１０においては、上記第１実施形態の構成に対応する構成要素に対しては、例えば、データライン２５３（第１実施形態では１５３）、タッチキー部２５４（同じく１５４）、フロントケース２１１（同じく１１１）、リアケース２１２（同じく１１２）、ディスプレイモジュール２３５（同じく１３５）、プリント基板２３４ａ（１３４ａ）、ウィンドウ２３６（１３６）のように、上記第１実施形態の構成要素の番号（１００番台）に１００を加算した２００番台の番号としている。
【００８６】
タッチシート２５０に形成された第１導電パターン２５６上（内側面）には透明絶縁被膜等の絶縁層２６４が設けられており、この絶縁層２６４上（内側面）には、透明材質の導電性物質を真空蒸着（例えば、スパッタリング）して形成された導電層２６５が設けられている。
【００８７】
導電層２６５は第１領域２５１に形成され、この導電層２６５の縁部には、導電層２６５と電気的に接続されるデータライン２５３が配置される。ここで、データライン２５３は、第１領域２５１及び第２領域２５２のそれぞれを囲むように第１領域２５１及び第２領域２５２の縁部に形成されており、第１領域２５１の第１導電パターン２５６及び第２領域２５２の第２導電パターン２５８にも電気的に接続される。
【００８８】
また、タッチシート２５０の縁部には、データライン２５３を介して伝達される信号が受ける外部の影響、すなわち、電子部品から発生する電磁波の影響を抑制するためのシールドパターン２５５が形成される。なお、シールドパターン２５５は、データライン２５３に対応する位置に形成され、データライン２５３が位置する（形成される）面の反対側の面に形成される。
【００８９】
導電層２６５の縁部には、導電層２６５に電場を発生させる電場発生部Ｐ１〜Ｐ４が配置される。本実施形態においては、電場発生部Ｐ１〜Ｐ４は、矩形状の第１領域２５１の４つの角部に該当する部分にそれぞれ配置されて、データライン２５３に電気的に接続される。
【００９０】
導電層２６５とデータライン２５３との間には、導電層２６５に発生する電場を線形的に補正する補正パターン２５９が形成される。この補正パターン２５９は、導電性物質が特定パターンを形成するように構成されており、補正パターン２５９に流れる電流と導電層２６５に発生した電場との間の相互作用によって電場の形態が第１領域２５１の長方形に対応する形態となるように補正される。
【００９１】
電場発生部Ｐ１〜Ｐ４が導電層２６５の上に電場を発生させ、図９に示すように、第１領域２５１のＰ地点がタッチされたときの概略的な回路図を図１１に示す。
【００９２】
図１１に示すように、導電層２６５に形成された電場は、タッチされたＰ地点を基準とし、１つのキャパシタＣと４つの抵抗Ｒ１〜Ｒ４とを有する回路図で簡単に表示することができる。
【００９３】
タッチされるＰ地点が変化すると抵抗Ｒ１〜Ｒ４の値が変化するので、Ｐ地点に蓄積される電荷量Ｃも変化する。この電荷量Ｃ（の変化）を測定し、該測定値と予め測定された設定値とを比較することでタッチ位置を感知する。
【００９４】
この第２実施例によるタッチシート２５０によると、第１実施例によるタッチシート１５０と同様の第１導電パターン２５６によるタッチ感知方式（すなわち、単一レイヤによるタッチ感知方式）に加えて、真空蒸着により形成された導電層２６５と電場発生部Ｐ１〜Ｐ４とを利用したタッチ感知方式をさらに含むことにより、タッチシート２５０の厚さに大きな影響を及ぼすことなく、タッチ位置の感知精度を向上できる。
【００９５】
図１２は、本発明の第２実施形態による移動端末機３００の前面斜視図であり、図１３は、図１２の移動端末機３００の分解斜視図である。なお、図１２及び図１３において、図１にて１００番台の番号で示した構成要素と同一の構成要素については、２００を加算した３００番台の番号としている。
【００９６】
本実施形態による移動端末機３００も、第１本体３１０の前面に第１領域３１３ａと第２領域３１４ａとが形成されており、第１領域３１３ａにはタッチスクリーン部３１３が、第２領域３１４ａにはタッチパッド部３１４が配置されている。
【００９７】
図１３に示すように、第１領域３１３ａの外方側（前面側）には透光性材質のウィンドウ３３６が装着され、このウィンドウ３３６の内側には該ウィンドウ３３６に対するタッチを感知するためのタッチシート３５０が装着される。使用者によってウィンドウ３３６がタッチされると、タッチシート３５０がこのタッチを感知して端末機本体の内部にタッチ信号を伝達する。
【００９８】
タッチシート３５０には、タッチを感知するための導電パターンが形成されている。この導電パターンは、前述した実施形態における第１導電パターン１５６、２５６と同一でもよい。また、本実施形態においても、第２実施形態と同様、導電層２６５と電場発生部Ｐ１〜Ｐ４とがタッチシート３５０に配置されている。なお、これらに関する説明は、前述したので、ここでは省略する。
【００９９】
一方、第２領域３１４ａの前面にはタッチパネル３１９が装着される。タッチパネル３１９はプレート状に形成されており、このタッチパネル３１９の内方側（背面側）にはタッチを感知するタッチセンサ３１９ａが装着されている。タッチセンサ３１９ａは、タッチパネル３１９の所定位置へのタッチを感知するように、複数の位置にそれぞれが離隔して配置されており、プリント基板３３４に装着されている。
【０１００】
タッチパネル３１９の各タッチセンサ３１９ａに対応する領域がタッチされると、該当するタッチセンサ３１９ａがこのタッチを感知してプリント基板３３４にタッチ信号を伝達する。
【０１０１】
タッチパネル３１９の中央には貫通孔３１８ａが形成され、この貫通孔３１８ａには押圧可能なセンターキー３１８が装着される。また、センターキー３１８の内側（下側）にはセンターキー３１９の押圧により情報を入力するスイッチ３１８ｂが配置され、このスイッチ３１８ｂもプリント基板３３４に装着されている。
【０１０２】
タッチパネル３１９の内方側（背面側）には、タッチパネル３１９に発光パターンを表示する発光シート３６０が装着されている。この発光シート３６０の構成及び作用は、前述の実施形態と同様であるので、ここでの説明は省略する。また、その他の構成要素についても、既に説明した構成要素と同様であるので、ここでの詳しい説明は省略する。
【０１０３】
なお、以上説明した実施形態においては、スライド型の移動端末機を用いているが、本発明はこれに限定されるものではなく、ストレート型、折り畳み型、スイング型、スイベル型などの様々な構造の移動端末機に適用することができる。
【０１０４】
図１４は、本発明の実施形態による移動端末機のブロック図である。なお、以下の説明においては、図１に示した移動端末機１００に基づいて説明するが、図１２の移動端末機３００にも適用できる。
【０１０５】
図１４に示すように、本発明の実施形態による移動端末機は、無線通信モジュール１７１と、操作部１１７，１２３，１２４と、映像入力部１１６，１２８と、音響入力部１２５と、タッチスクリーン部１１３と、タッチパッド部１１４と、音響出力部１１５と、センシングユニット１７６と、インタフェース１２６と、放送受信モジュール１７５と、メモリ１７４と、電源供給部１３０と、制御部１７０とを含む。
【０１０６】
制御部１７０は、移動端末機の全般的な動作を制御する。例えば、音声通話、データ通信、テレビ電話などのための関連制御及び処理を行う。また、制御部１７０は、このような通常の機能制御に加えて、タッチスクリーン部１１３とタッチパッド部１１４とに入力されたタッチ信号を受信し、この受信したタッチ信号に関する所定の動作を行うように他の電子部品を制御する。
【０１０７】
無線通信モジュール１７１は、アンテナを介して、例えば、（移動通信）基地局との間で無線信号を送受信する。また、無線通信モジュール１７１は、制御部１７０による制御の下で、音声データ、テキストデータ、映像データ及び制御データの送受信を担当する。そのため、無線通信モジュール１７１は、送信する信号を変調して送信する送信部１７３と、受信された信号を復調する受信部１７２とを含む。
【０１０８】
操作部１１７、１２３、１２４は、例えば、図１に示すように構成され、使用者が端末機の動作制御のために入力するキー入力データを制御部１７０に提供する。
【０１０９】
映像入力部１１６、１２８は、テレビ電話モード又は撮影モードにおいて、イメージセンサから得られる静止画像又は動画像などの画像フレームを処理する。処理された画像フレームは、タッチスクリーン部１１３に表示可能な映像データに変換されてタッチスクリーン部１１３に出力される。
また、映像入力部１１６、１２８で処理された画像フレームは、制御部１７０の制御によりメモリ１７４に保存されるか、無線送受信部１７１を介して外部に伝送される。
【０１１０】
音響入力部１２５は、通話モード、録音モード、又は音声認識モードなどでマイクロホンにより外部の音響信号を受信して電気的な音声データに処理する。処理された音声データは、通話モードである場合には、無線通信モジュール１７１を介して（移動通信）基地局に送信可能な形態に変換されて無線通信モジュールに出力され、録音モードである場合、メモリ１７４に保存されるように出力される。なお、音響入力部１２５は、外部の音響信号を受信する過程で発生する雑音を除去するための多様な雑音除去アルゴリズムが実現される。
【０１１１】
タッチスクリーン部１１３は、移動端末機で処理される情報を表示出力する。例えば、移動端末機が通話モードである場合には、制御部１７０の制御により、通話に関連するＵＩ（User Interface）又はＧＵＩ（Graphic User Interface）を表示出力し、移動端末機がテレビ電話モード又は撮影モードである場合には、制御部１７０の制御により、撮影された映像、ＵＩ又はＧＵＩを表示出力する。また、タッチスクリーン部１１３は、タッチ方式で情報を入力する入力装置として使用される。
【０１１２】
音響出力部１１５は、呼信号受信、通話モード、録音モード、音声認識モード、放送受信モードなどにおいて、制御部１７０の制御により無線通信モジュール１７１から受信された音響データ又はメモリ１７４に保存された音響データを変換して外部に出力する。また、音響出力部１１５は、移動端末機で行われる機能に関する音響信号（例えば、呼信号受信音、メッセージ受信音など）を出力する。
【０１１３】
センシングユニット１７６は、移動端末機の開閉状態、移動端末機の位置、使用者の接触（タッチ）の有無などの、移動端末機の現在の状態を感知して移動端末機の動作を制御するためのセンシング信号を発生する。例えば、移動端末機がスライド型である場合、移動端末機が開状態であるか閉状態であるかを感知し、制御部１７０に感知結果を出力して端末機の動作が制御されるようにする。また、電源供給部１３０が電源を供給しているか否か、インタフェース１２６に外部機器が結合されているか否かなどに関する感知機能を果たす。
【０１１４】
また、センシングユニット１７６は、タッチスクリーン部１１３又はタッチパッド部１１４にタッチ入力されると、このタッチを感知してタッチ信号を制御部１７０に伝達する。タッチシート１５０（図３を参照）の第１導電パターン１５６及び第２導電パターン１５８（図４を参照）にタッチ入力されると、センシングユニット１７６は、第１導電パターン１５６及び第２導電パターン１５８で発生する電荷量の変化を感知して制御部１７０に伝達する。
【０１１５】
また、使用者がタッチスクリーン部１１３に表示されたメニュー又はアイコン１１３ｃ（図８Ａを参照）をタッチすると、センシングユニット１７６は、このタッチを感知して制御部１７０に該当信号を印加し、制御部１７０は、メニュー又はアイコン１１３ｃの該当機能を動作させる。
【０１１６】
また、使用者がタッチパッド部１１４をタッチすると、センシングユニット１７６は、このタッチを感知して制御部１７０に信号を印加する。例えば、タッチパッド部１１４が方向キーとしての機能を有するように実現されていた場合、制御部１７０は、タッチスクリーン部１１３に表示されたリスト１１３ｄ（図８Ｂを参照）上のカーソル１１３ｅを移動させるための信号をタッチスクリーン部１１４に印加すると同時に、発光パターン１６２（図７Ａ〜図７Ｄを参照）を発光させるための信号を発光シート１６０（図７Ａ〜図７Ｄを参照）に印加する。ここで、制御部１７０は、同心円状の発光パターン１６２ａ〜１６２ｄの明るさが経過時間に応じて順番に変化するように各発光パターン１６２ａ〜１６２ｄを個別制御する。
【０１１７】
インタフェース１２６は、移動端末機以外の、有線・無線ヘッドセット、外部充電器、有無線データポート、カードソケット（例えば、メモリカード、ＳＩＭ／ＵＩＭカード）など、移動端末機に接続される全ての外部機器とのインタフェースの役割を果たす。このようなインタフェース１２６は、外部機器から受信されたデータ又は供給された電源を移動端末機内部の各構成要素に伝達し、移動端末機内部のデータを外部機器に伝送する。
【０１１８】
メモリ１７４は、制御部１７０の処理及び制御のためのプログラムを保存したり、入出力されるデータ（例えば、電話帳、メッセージ、静止画像、動画像など）を一時保存したりする。
【０１１９】
また、メモリ１７４には、本発明による移動端末機１００の動作を制御するプログラムが保存される。このようなメモリ１７４は、公知のハードディスク、カードタイプのメモリ（例えばＳＤ又はＸＤメモリなど）、フラッシュメモリ、ＲＡＭ、ＲＯＭなどの概念を含む。
【０１２０】
放送受信モジュール１７５は、衛星又は地上波などで伝送された放送信号を受信してタッチスクリーン部１１３及び音響出力部１１５に出力可能な放送データ形態に変換して制御部１７０に出力する。また、放送受信モジュール１７５は、放送に関する付加データ（例えば、ＥＰＧ（Electric Program Guide）、チャネルリストなど）を受信する。放送受信モジュール１７５で変換された放送データ及び付加データはメモリ１７４に保存される。
【０１２１】
電源供給部１３０は、制御部１７０の制御により外部の電源、内部の電源が供給されると、各構成要素の動作に必要な電源を供給する。
【０１２２】
なお、本発明が適用される移動端末機は、前述した実施形態の構成及び方法に限定されるものではなく、様々な変形が可能であり、また、各実施形態の全部又は一部を選択的に組み合わせて構成することもできる。
【図面の簡単な説明】
【０１２３】
【図１】本発明の第１実施形態による移動端末機の前面斜視図である。
【図２】上記第１実施形態による移動端末機の背面斜視図である。
【図３】上記第１実施形態による移動端末機の分解斜視図である。
【図４】第１実施例によるタッチシートの平面図である。
【図５】図３のＶ−Ｖ断面図である。
【図６】図３のＶＩ−ＶＩ断面図である。
【図７】発光シートの正面図である。
【図８Ａ】上記第１実施形態による移動端末機の動作を説明するための図である。
【図８Ｂ】上記第１実施形態による移動端末機の動作を説明するための図である。
【図８Ｃ】上記第１実施形態による移動端末機の動作を説明するための図である。
【図９】第２実施例によるタッチシートの平面図である。
【図１０】上記第２実施例によるタッチシートが装着された状態を示す移動通信端末機の断面図である。
【図１１】上記第２実施例によるタッチシートがタッチされたときの概略的な回路図である。
【図１２】本発明の第２実施形態による移動端末機の前面斜視図である。
【図１３】上記第２実施形態による移動端末機の分解斜視図である。
【図１４】本発明の実施形態による移動端末機のブロック図である。
【符号の説明】
【０１２４】
１００，３００…移動端末機、１１０，３１０…第１本体、１１３，３１３…タッチスクリーン部、１１３ａ，３１３ａ…第１領域、１１４，３１４…タッチパッド部、１１４ａ，３１４ａ…第２領域、１１８，３１８…センターキー、１３４ａ，１３５ｂ…プリント基板、１３５，３３５…ディスプレイモジュール、１３６，３３６…ウィンドウ、１５０，２５０，３５０…タッチシート、１５３，２５３…データライン、１５５，２５５…シールドパターン、１５６，２５６…第１導電パターン、１５７ａ，１５７ｂ…折曲点、１５８，２５８…第２導電パターン、１６０，３６０…発光シート、１６２…発光パターン、２５９…補正パターン、２６４…絶縁層、２６５…導電層
【図１】
0004849483.tif 000002
【図２】
0004849483.tif 000003
【図３】
0004849483.tif 000004
【図４】
0004849483.tif 000005
【図５】
0004849483.tif 000006
【図６】
0004849483.tif 000007
【図７】
0004849483.tif 000008
【図８Ａ】
0004849483.tif 000009
【図８Ｂ】
0004849483.tif 000010
【図８Ｃ】
0004849483.tif 000011
【図９】
0004849483.tif 000012
【図１０】
0004849483.tif 000013
【図１１】
0004849483.tif 000014
【図１２】
0004849483.tif 000015
【図１３】
0004849483.tif 000016
【図１４】
0004849483.tif 000017